(57)【要約】【課題】表示装置の梱包箱から切り取った梱包部材で表示画面を容易に覆うことができ、表示画面に損傷を与えないようにする表示装置の梱包箱を提供する。【解決手段】（１）に示すようにコンパクトサイズに折り畳んだ梱包部材２１０を広げ、上端部分のみテレビ受信装置１００の厚みの幅に合わせてコの字に折り曲げる。（２）に示すように梱包部材２１０に梱包袋４００を被せ、梱包部材２１０のコの字切り込み２１１及びコの字切り込み２１２を梱包袋４００の挿入穴４０１及び挿入穴４０２に挿入し折り曲げる。（３）に示すように、梱包部材２１０と梱包袋４００を一緒に折り畳み、梱包部材２１０が表示画面の表面側となるように梱包部材２１０のコの字に折り曲げた上端部分をテレビ受信装置１００の上辺に掛ける。（４）に示すように梱包部材２１０が簾のように下がることで、表示画面に梱包部材２１０と梱包袋４００を同時に被せる。【選択図】図４
2013209133.tif 000002
【特許請求の範囲】
【請求項１】
表示装置を移送する際に緩衝材として使用される梱包箱であって、
前記梱包箱から取り出し可能に設けられた梱包部材と、
前記梱包部材に折り畳みが可能となるように複数の平行な折り線が設けられていることを特徴とする表示装置の梱包箱。
【請求項２】
前記梱包部材は前記梱包箱の天面板と背面板の両方の面を含み、取り出し可能であることを特徴とする請求項１に記載の表示装置の梱包箱。
【請求項３】
前記梱包部材が収納される梱包袋を備え、
前記梱包袋には挿入穴が設けられていることを特徴とする請求項１または請求項２に記載の表示装置の梱包箱。
【請求項４】
前記梱包部材に前記梱包袋の前記挿入穴に挿入するコの字の切り込みが設けられたことを特徴とする請求項３に記載の表示装置の梱包箱。
【請求項５】
前記梱包箱は、天面板、底面板、前面板、背面板、及び側面板から構成され、四角形の形状であることを特徴とする請求項１から請求項４のいずれか１項に記載の表示装置の梱包箱。
【発明の詳細な説明】
【技術分野】
【０００１】
本発明は、表示装置を梱包する梱包箱に係り、特に大型表示装置を梱包する梱包箱に関する。
【背景技術】
【０００２】
近年、大型表示装置を備えたテレビ受信装置が普及しており、画面サイズが１５０インチ、１０８インチの商品も実用化されている。また、最近ではテレビ受信装置だけでなく、大型の電子黒板やデジタルサイネージ（電子看板）などの市場も拡大してきている。このように、表示装置が大型化するのに伴いこの大型表示装置を梱包する梱包箱も大型化となった。梱包箱は、出荷されるときに表示装置を梱包するために使用されるが、設置した表示装置の表示画面に傷をつけないように他の場所に移動させるときにも梱包箱に収納して運搬することがある。また、表示装置を長期間使用しなくなったときに、表示装置を梱包箱に収納することがある。このため、この梱包箱から表示装置を取り出した後も梱包箱を廃棄せずに保管しておくことがあった。しかし、大型表示装置の梱包箱も大型であるので、保管するには大きなスペースが必要である。このため、梱包箱を保管する場所を確保できない場合は、梱包箱を破棄していた。
【０００３】
薄型表示装置本体を収容する梱包箱の開封方法の技術として特開２００６−１６０３３５号公報（特許文献１）を挙げることができる。特許文献１に開示の技術では、薄型表示装置を収容する梱包箱（パッケージ）ケースと、パッケージケース内で薄型表示装置を位置決めする緩衝材と、を有する薄型表示装置の梱包箱において、薄型表示装置をパッケージケース内に梱包した状態で、薄型表示装置へのスタンド部材が取り付けられている箇所のみパッケージケースの開口部となるようにミシン目を形成することで、薄型表示装置本体を収容するパッケージを小さくし、開封時の表示画面の損傷を抑え、作業負担を軽減できる薄型表示装置の梱包箱、及び薄型表示装置を梱包した梱包箱の開封方法を開示している。
【先行技術文献】
【特許文献】
【０００４】
【特許文献１】特開２００６−１６０３３５号公報
【発明の概要】
【発明が解決しようとする課題】
【０００５】
上記のように、特許文献１に開示の技術における薄型表示装置の梱包箱とその開封方法では、薄型表示装置をパッケージケース内に梱包した状態で、薄型表示装置へのスタンド部材が取り付けられている箇所のみパッケージケースを開口することができるので、梱包を開封するときの表示画面の損傷を抑え、また、パッケージケースは薄型表示装置本体のみを梱包しているのでパッケージを小さくすることができる。しかし、このようにパッケージケースを小さくすることができた場合でも、パッケージケースを保管するにはこのパッケージケースサイズと同等の保管場所を確保しなければならない。または、パッケージケースを破棄した場合には、薄型表示装置を他の設置場所に移動させるとき、また長期間使用しない薄型表示装置を保管するときに、薄型表示装置を運搬しているまたは保管している間に表示画面に損傷を与えないようにするため、梱包箱や薄型表示装置の表示画面を覆うことができる、表示画面と同等のサイズの梱包部材を新たに手配しなければならないという問題があった。
【０００６】
本発明はこのような状況に鑑みてなされたものであり、上記課題を解決できる技術を提供することを目的とする。
【課題を解決するための手段】
【０００７】
本発明の表示装置の梱包箱は、表示装置を移送する際に緩衝材として使用される梱包箱であって、前記梱包箱から取り出し可能に設けられた梱包部材と、前記梱包部材に折り畳みが可能となるように複数の平行な折り線が設けられていることを特徴としている。
また、本発明の表示装置の梱包箱の前記梱包部材は前記梱包箱の天面板と背面板の両方の面を含み、取り出し可能であることを特徴としている。
また、本発明の表示装置の梱包箱は、前記梱包部材が収納される梱包袋を備え、前記梱包袋には挿入穴が設けられていることを特徴としている。
また、本発明の表示装置の梱包箱は、前記梱包部材に前記梱包袋の前記挿入穴に挿入するコの字の切り込みが設けられたことを特徴としている。
また、本発明の表示装置の梱包箱は、天面板、底面板、前面板、背面板、及び側面板から構成され、四角形の形状であることを特徴としている。
【発明の効果】
【０００８】
本発明によれば、大型表示装置の梱包箱の一部である梱包部材を大型表示装置に取り付けることで表示画面に損傷を与えることなく大型表示装置を他の場所に移動させ、また長期間保管することができ、またこの梱包部材をコンパクトなサイズに畳むことで容易に保管することができる表示装置の梱包箱を提供する。
【図面の簡単な説明】
【０００９】
【図１】本発明の実施形態に係るテレビ受信装置の梱包箱の天井部分と背面部分を開梱する手順を示す図である。
【図２】本発明の実施形態に係るテレビ受信装置の背面にスタンドを取り付ける手順を示す図である。
【図３】本発明の実施形態に係る梱包箱の梱包部材をコンパクトサイズに折り畳む手順を示す図である。
【図４】本発明の実施形態に係る梱包部材と梱包袋をテレビ受信装置の表示画面に取り付ける手順を示す図である。
【発明を実施するための形態】
【００１０】
以下、本発明を実施するための実施形態を、テレビ受信装置を表示装置の一例とし、図面を参照して説明する。本発明は、テレビ受信装置が梱包されていた梱包箱からテレビ受信装置を取り出し、テレビ受信装置の梱包箱から梱包部材を切り取り、この梱包部材を折り畳んで保管し、テレビ受信装置を移動させるときにこの梱包部材を用いてテレビ受信装置の表示画面を覆うようにするものである。
【００１１】
まず、実施形態におけるテレビ受信装置１００を梱包する梱包箱２００の天井部分と背面部分を開梱する手順について図１を用いて説明する。図１（１）は、テレビ受信装置１００が梱包箱２００に梱包されている状態を背面から見た図である。図１（２）は、テレビ受信装置１００の梱包箱２００の梱包部材２１０を開梱した状態である。図１（３）は、テレビ受信装置１００の梱包箱２００の梱包部材２１０を取り外した状態である。梱包箱２００は、図１に示すように四角形の箱型の形状であり、天井部分である天面板２０１、底部分である底面板２０２、前部分である前面板２０３、背部分である背面板２０４、及び両側部分である側面板２０５から構成されている。このような梱包箱２００に、四隅に発砲スチロールなどの緩衝材３００を取り付けたテレビ受信装置１００が収納される。この緩衝材３００が梱包箱２００の天面板２０１、底面板２０２、背面板２０４、及び側面板２０５に接触することで、テレビ受信装置１００は梱包箱２００に固定される。なお、梱包箱２００の材質は、厚紙、段ボール、または折り曲げることができるプラスチックなどである。
【００１２】
図１は、テレビ受信装置１００の梱包状態を背面側から見た場合を示している。図１（１）に示すように、梱包箱２００の天面板２０１、側面板２０５、及び底面板２０２の縁にミシン目ａが設けられている。また、図１（２）と（３）に示すように、天面板２０１と背面板２０４から形成される梱包部材２１０の内側部分には、底面板２０２の縁に平行した複数の折り線ｂと、コの字切り込み２１１及びコの字切り込み２１２が設けられている。コの字切り込み２１１及びコの字切り込み２１２の用途については、後述する。まず、天面板２０１と側面板２０５の縁に設けられているミシン目ａに沿って切り込みを入れると、図１（２）に示すように、梱包箱２００の天面板２０１と背面板２０４の両方の面を含む部分である梱包部材２１０が開梱される。次いで、底面板２０２の縁のミシン目ａに沿って切り込みを入れると、図１（３）に示すように梱包箱２００の梱包部材２１０が底面板２０２から取り外される。また、梱包部材２１０は、折り線ｂに沿って折り畳むことができる。なお、テレビ受信装置１００の背面に設けられているネジ穴１０１、ネジ穴１０２、ネジ穴１０３、及びネジ穴１０４の用途については、後述する。
【００１３】
次に、実施形態におけるテレビ受信装置１００の背面にスタンド１１０を取り付ける手順について図２を用いて説明する。図２（１）は、梱包部材２１０が取り外された梱包箱２００のテレビ受信装置１００及びテレビ受信装置１００に取り付けるスタンド１１０が床またはテーブルに置かれている状態である。図２（２）は、梱包部材２１０が取り外された梱包箱２００のテレビ受信装置１００の背面にスタンド１１０を取り付けた状態である。このようにテレビ受信装置１００の背面にスタンドを取り付けるには、まず、図２（１）に示すように、スタンド１１０をテレビ受信装置１００の背面に接触する位置に移動させる。次いで、図２（２）に示すように、スタンド１１０のネジ穴１１１とテレビ受信装置１００のネジ穴１０１にネジを挿入して固定し、スタンド１１０のネジ穴１１２とテレビ受信装置１００のネジ穴１０２にネジを挿入して固定し、スタンド１１０のネジ穴１１３とテレビ受信装置１００のネジ穴１０３にネジを挿入して固定し、スタンド１１０のネジ穴１１４とテレビ受信装置１００のネジ穴１０４にネジを挿入して固定することで、スタンド１１０をテレビ受信装置１００の背面に取り付ける。
【００１４】
次に、実施形態における梱包箱２００の梱包部材２１０をコンパクトサイズに折り畳む手順について図３を用いて説明する。図３（１）は、梱包部材２１０に設けられた複数の折り線ｂに沿って折り畳んでいる状態である。図３（２）は、梱包部材２１０を折り畳んだ状態である。このように、梱包部材２１０をコンパクトサイズに折り畳むには、まず、図３（１）に示すように、梱包部材２１０を図１（３）に示す複数の折り線ｂに沿って折り曲げる。次いで、折り曲げた梱包部材２１０の表面を重ね合わせると、図３（２）に示すように、梱包部材２１０をコンパクトサイズに折り畳むことができる。このようにコンパクトサイズに折り畳まれた梱包部材２１０のみを保管し、梱包部材２１０以外の梱包箱２００の部分については廃棄することができる。
【００１５】
次に、テレビ受信装置１００を移動させるときまたは長期間使用しないときなどに、表示画面に損傷を与えないようにするために梱包部材２１０と梱包袋４００を表示画面に取り付ける手順について図４を用いて説明する。なお、ここで使用する梱包袋４００は、梱包箱２００に被されていたもの、または予め用意され梱包箱２００に収納されているもので、材質がビニールなどの袋である。また、梱包袋４００には、挿入穴４０１及び挿入穴４０２が、梱包箱２００のコの字切り込み２１１及びコの字切り込み２１２に対応する位置に予め設けられている。図４（１）は、保管しておいたコンパクトサイズに折り畳んだ梱包部材２１０を広げ、上端を折り曲げた状態である。図４（２）は、梱包袋４００を梱包部材２１０に被せ、梱包部材２１０に梱包袋４００を取り付けた状態である。図４（３）は、梱包部材２１０と梱包袋４００を一緒に折り畳んだ状態である。図４（４）は、一緒に折り畳んだ梱包部材２１０と梱包袋４００をテレビ受信装置１００の表示画面に掛けた状態である。
【００１６】
このような梱包部材２１０と梱包袋４００をテレビ受信装置１００の表示画面に取り付けるには、まず、図４（１）に示すように、コンパクトサイズに折り畳んだ梱包部材２１０を広げ、上端部分のみテレビ受信装置１００の厚みの幅に合わせてコの字に折り曲げる。次いで、図４（２）に示すように、梱包部材２１０に梱包袋４００を被せ、梱包部材２１０のコの字切り込みを梱包袋４００の挿入穴４０１に挿入し下方向または上方向に折り曲げる。同様に、梱包部材２１０のコの字切り込み２１２を梱包袋４００の挿入穴４０２に挿入し下方向または上方向に折り曲げる。次いで、図４（３）に示すように、梱包部材２１０と梱包袋４００を一緒に折り畳み、梱包部材２１０が表示画面の表面側となるように梱包部材２１０のコの字に折り曲げた上端部分をテレビ受信装置１００の上辺に掛ける。次いで、図４（４）に示すように、梱包部材２１０が簾のように下がることで、梱包部材２１０と梱包袋４００が同時にテレビ受信装置１００の表示画面に被せられる。
【００１７】
このような実施形態のテレビ受信装置１００は、梱包箱２００から切り取った梱包部材２１０を用いて表示画面を覆うことができる。また、テレビ受信装置１００の表示画面が大型の場合には、梱包箱２００も大型となるが、梱包部材２１０はコンパクトなサイズに折り畳むことができるので、広い保管場所を確保する必要がない。このため、表示装置を移動させるまたは保管している間に表示画面に損傷を与えないようにするために梱包箱や表示装置の表示画面を覆うための梱包部材を新たに手配することがなくなる。また、梱包部材２１０と梱包袋４００をテレビ受信装置１００の大型な表示画面に被せる場合でも、梱包部材２１０が簾のように下がることで、梱包部材２１０と梱包袋４００を容易に大型の表示画面にも被せることができる。更に、梱包箱２００から梱包部材２１０を切り取った状態でテレビ受信装置１００にスタンド１２０を取り付けることができるので、表示画面に損傷を与えることなくスタンド１２０を取り付けることができる。
【００１８】
尚、実施形態における梱包袋４００を用いる実施例について説明したが、梱包袋４００を用いずに梱包部材２１０のみで表示画面を覆い、梱包部材２１０を接着テープや紐などで表示画面に固定できればこれに限定されない。また、実施例では梱包箱２００の天面板２０１と背面板２０４の両方の面を含む部分を梱包部材２１０としたが、これに限定されず表示画面を覆うことができれば梱包箱２００のどの部分の面でも用いることが可能である。また、実施例では梱包部材２１０に２箇所のコの字切り込み２１１及びコの字切り込み２１２を設けるようにしたが、これに限定されず１箇所または３箇所以上のコの字切り込みを設けることも可能である。また、実施例では四角形の箱型の梱包箱２００としたが梱包部材２１０を切り取れるのであればこれに限定されない。また、実施例ではテレビ受信装置１００を用いて説明したが、これに限定されずあらゆるサイズの表示装置に適用可能である。
【００１９】
このような本実施形態により、大型表示装置の梱包箱の一部である梱包部材を大型表示装置に取り付けることで表示画面に損傷を与えることなく大型表示装置を他の場所に移動させ、また長期間保管することができ、またこの梱包部材をコンパクトなサイズに畳むことで容易に保管することができ、更に表示装置にスタンドを取り付けるときにも表示画面に損傷を与えることなく設置作業を行うことができる表示装置の梱包箱が提供できる。
【００２０】
以上、本発明の実施形態をもとに説明したがこの実施形態は例示であり、それらの各構成要素の組み合わせにいろいろな変形例が可能なこと、またそうした変形例も本発明の範囲にあることは当業者に理解されるところである。
【符号の説明】
【００２１】
１００・・・・・・・・テレビ受信装置
１０１・・・・・・・・ネジ穴
１０２・・・・・・・・ネジ穴
１０３・・・・・・・・ネジ穴
１０４・・・・・・・・ネジ穴
１１０・・・・・・・・スタンド
１１１・・・・・・・・ネジ穴
１１２・・・・・・・・ネジ穴
１１３・・・・・・・・ネジ穴
１１４・・・・・・・・ネジ穴
２００・・・・・・・・梱包箱
２０１・・・・・・・・天面板
２０２・・・・・・・・底面板
２０３・・・・・・・・前面板
２０４・・・・・・・・背面板
２０５・・・・・・・・側面板
２１０・・・・・・・・梱包部材
２１１・・・・・・・・コの字切り込み
２１２・・・・・・・・コの字切り込み
３００・・・・・・・・緩衝材
４００・・・・・・・・梱包袋
４０１・・・・・・・・挿入穴
４０２・・・・・・・・挿入穴
【図１】
2013209133.tif 000003
【図２】
2013209133.tif 000004
【図３】
2013209133.tif 000005
【図４】
2013209133.tif 000006